Podtech/llm-jp-corpus-v4-ja_patent huggingface dataset:
【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
平らな表面を有するカバー層と、
平らな頂部表面および底部表部を有する光ガイドプレートであって、前記光ガイドプレート内に広がっている複数の表面レリーフフィーチャを備えている光ガイドプレートと、
を備えた光ガイドであって、
前記カバー層及び光ガイドプレートは光をその中に誘導するように構成され、及び前記カバー層は、前記カバー層及び前記光ガイドプレートの前記一つ以上の表面レリーフフィーチャが前記カバー層と前記光ガイドプレートとの間に一つ以上の空洞を形成するように一つ以上の表面レリーフフィーチャに隣接して配置されており、
前記光ガイドプレートは、前記カバー層より厚い光ガイド。
【請求項２】
前記複数の表面レリーフフィーチャが細長いマイクロプリズムを形成している、請求項１に記載の光ガイド。
【請求項３】
前記複数の表面レリーフフィーチャが互いに角度が付けられた少なくとも２つの隣接するファセットを備えた、請求項２に記載の光ガイド。
【請求項４】
前記少なくとも２つの隣接するファセットが互いに異なる傾斜角を有する、請求項３に記載の光ガイド。
【請求項５】
前記複数の表面レリーフフィーチャが２つの垂直ファセットを備えた、請求項２に記載の光ガイド。
【請求項６】
前記２つの隣接するファセットが湾曲した表面を備えた、請求項３に記載の光ガイド。
【請求項７】
前記マイクロプリズムが多重ファセット化された隣接する面を備えた、請求項２に記載の光ガイド。
【請求項８】
前記複数の表面フィーチャが前記光ガイドプレートと前記カバー層との間に配置された空洞において反射コーティングを備えている、請求項２に記載の光ガイド。
【請求項９】
前記空胴が空気ポケットを備えた、請求項１に記載の光ガイド。
【請求項１０】
前記空胴に充填材が充填された、請求項１に記載の光ガイド。
【請求項１１】
前記充填材が反射型である、請求項１０に記載の光ガイド。
【請求項１２】
前記光ガイドプレートは一体に結合された複数の層を備えている、請求項１に記載の光ガイド。
【請求項１３】
前記層の一つが前記光ガイドプレートの前記平らな底部表面に配置された膜であり、前記膜は前記表面レリーフフィーチャを備えている、請求項１に記載の光ガイド。
【請求項１４】
前記カバー層がディスプレイエレメントのアレイの上に配置された、請求項１に記載の光ガイド。
【請求項１５】
前記カバー層がディスプレイエレメントのアレイを備えた、請求項１に記載の光ガイド。
【請求項１６】
前記カバー層が平らな頂部表面および底部表面を有する膜を備えた、請求項１に記載の光ガイド。
【請求項１７】
前記カバー層および光ガイドプレートが同じ屈折率を有する、請求項１に記載の光ガイド。
【請求項１８】
前記光ガイドが光を注入することができる縁を備え、前記注入される光が前記空胴で前記光ガイドから散乱する、請求項１に記載の光ガイド。
【請求項１９】
前記複数の表面レリーフフィーチャが、前記縁を介して注入される光が前記空胴で屈折するように互いに角度が付けられた少なくとも２つの隣接するファセットを備えた、請求項１８に記載の光ガイド。
【請求項２０】
前記複数の表面レリーフフィーチャが、前記縁を介して注入される光が前記空胴で内部全反射して方向転換するように互いに角度が付けられた少なくとも２つの隣接するファセットを備えた、請求項１８に記載の光ガイド。
【請求項２１】
前記カバー層が、
前記平らな表面の反対側に配置された観察面
をさらに備えた、請求項１に記載の光ガイド。
【請求項２２】
前記観察面が平らである、請求項２１に記載の光ガイド。
【請求項２３】
前記観察面が平らではない、請求項２１に記載の光ガイド。
【請求項２４】
光ガイドを製造する方法であって、
光誘導手段であって、該光誘導手段内に広がっている複数の表面レリーフフィーチャを備えている光誘導手段を提供するステップと、
カバーを配置するステップであって、前記カバーと前記誘導手段の間に反射手段が配置されるように、前記誘導手段の上に前記カバーを配置するステップと、を含み
前記カバー及び誘導手段は光をその中に誘導するために構成され、及び前記カバーは、該カバー及び前記誘導手段の前記一つ以上の反射手段が、前記カバーと前記誘導手段との間に一つ以上の空洞を形成するように一つ以上の前記反射手段に隣接して配置されており、
前記誘導手段は前記カバーより厚い、方法。
【請求項２５】
光を誘導するための手段と、
前記光誘導手段を覆うための手段であって、前記光誘導手段および前記カバー手段が、それぞれ、前記光誘導手段および前記カバー手段を一体に整合させるための手段を有する手段と
を備えた光ガイドであって、前記光誘導手段のための前記整合手段が、前記光誘導手段および前記カバー手段が一体に整合されると、それらの間に光を反射させるための手段が形成されるように輪郭が付けられ、
前記カバー手段及び光誘導手段が、前記カバー手段及び光誘導手段の中を誘導された光が、もはや前記カバー手段、または前記光誘導手段の中を誘導されないよう、前記反射手段で内部全反射するように配置され、
前記光誘導手段は、前記カバー手段より厚い光ガイド。
【請求項２６】
前記光誘導手段が光ガイドプレートを備えた、請求項２５に記載の光ガイド。
【請求項２７】
前記光誘導手段が膜を備えた、請求項２６に記載の光ガイド。
【請求項２８】
前記カバー手段がカバー層を備えた、請求項２７に記載の光ガイド。
【請求項２９】
前記光誘導手段のための前記整合手段が膜の上に表面を備え、前記カバー手段のための前記整合手段が前記カバー層の上に表面を備えた、請求項２８に記載の光ガイド。
【請求項３０】
前記反射手段が光空胴を備えた、請求項２９に記載の光ガイド。
【請求項３１】
前記層の一つは、前記光ガイドプレートの平らな頂部表面上に配置された膜であり、前記膜は表面レリーフフィーチャを備えている、請求項１２に記載の光ガイド。
【請求項３２】
前記反射コーティングは金属を備えている、請求項８に記載の光ガイド。
【請求項３３】
前記空洞内に反射コーティングを堆積するステップをさらに備えている、請求項２４に記載の方法。
【請求項３４】
前記反射コーティングは金属を備えている、請求項３３に記載の方法。
【請求項３５】
前記反射手段は前記光誘導手段と前記カバー手段との間に配置された空洞内に反射コーティングを備えている、請求項２５に記載の光ガイド。
【請求項３６】
前記反射コーティングは金属を備えている、請求項３５に記載の光ガイド。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
以下の工程を含む、トロンビンレセプターアンタゴニストによる血小板凝集阻害を測定する方法：
a）トロンビンレセプターアンタゴニストで処置された個体の血小板含有血液サンプルを提供する工程：
b）前記血小板含有血液サンプルをトロンビンレセプターアクチベーターと、前記血小板含有血液サンプルで血小板凝集を活性化させるために適した条件下で接触させる工程；及び
c）前記血小板含有血液サンプルで血小板凝集を判定して、前記個体における前記トロンビンレセプターアンタゴニストによる血小板凝集阻害の有無及び／又は程度を決定する工程、ここで、前記血小板凝集が存在しないか又は低下している場合は、前記個体で前記トロンビンレセプターアンタゴニスト処置に応答して血小板凝集能が低下していることを示す。
【請求項２】
以下の工程を含む、トロンビンレセプターアンタゴニストによる血小板凝集阻害を測定する方法：
a）トロンビンレセプターアンタゴニストで処置された個体の血小板含有血液サンプルを提供する工程：
b）前記血小板含有血液サンプルを、その上に固定されたGPIIb/IIIaレセプターリガンドを含む粒子及びトロンビンレセプターアクチベーターと、前記血液サンプルで前記血小板によって仲介される前記粒子の凝集に適した条件下で接触させる工程；及び
c）前記凝集を判定して、前記個体における前記トロンビンレセプターアンタゴニストによる血小板凝集阻害の有無及び／又は程度を決定する工程、ここで、前記凝集が存在しないか又は低下している場合は、前記個体で前記トロンビンレセプターアンタゴニスト処置に応答して血小板凝集形成能が低下していることを示す。
【請求項３】
トロンビンレセプターがPAR-1又はPAR-4である、請求項1又は2記載の方法。
【請求項４】
トロンビンレセプターアクチベーターが、トロンビン、PAR-1トロンビンレセプター活性化ペプチド（TRAP-1）及びPAR-4トロンビンレセプター活性化ペプチド（TRAP-4）から成る群から選択される物質を含む、請求項1又は2記載の方法。
【請求項５】
トロンビンが約0.01U/mLから約0.5U/mLの最終濃度を有する、請求項4記載の方法。
【請求項６】
TRAP-1が約0.5μMから約10μMの最終濃度を有する、請求項4記載の方法。
【請求項７】
TRAP-4が約50μMから約1mMの最終濃度を有する、請求項4記載の方法。
【請求項８】
トロンビンレセプターアクチベーターがTRAP-1を含む、請求項1又は2記載の方法。
【請求項９】
血小板含有血液サンプルが全血サンプル又は血漿サンプルである、請求項1又は2記載の方法。
【請求項１０】
血漿サンプルが血小板濃縮血漿（PRP）サンプルである、請求項9記載の方法。
【請求項１１】
トロンビンレセプターアンタゴニストが、トロンビンレセプターのトロンビン結合ドメインに対する抗体、TRAP-1のペプチド誘導体、TRAP-4のペプチド誘導体、TRAP-1誘導体のペプチド模倣体、TRAP-4誘導体のペプチド模倣体、E5555及びSCH530348から成る群から選択される物質を含む、請求項1又は2記載の方法。
【請求項１２】
トロンビンレセプターアンタゴニストがE5555を含む、請求項11記載の方法。
【請求項１３】
トロンビンレセプターアンタゴニストがSCH530348を含む、請求項11記載の方法。
【請求項１４】
トロンビンレセプターアクチベーターが、約800nmでピーク吸収を示すアッセイ媒体中に含まれる、請求項1又は2記載の方法。
【請求項１５】
30℃から40℃の範囲の温度で実施され、さらに血小板含有血液サンプルとトロンビンレセプターアクチベーターとの間の接触時間から読み取りの総時間が約10秒から約10分の範囲である、請求項1記載の方法。
【請求項１６】
30℃から40℃の範囲の温度で実施され、さらに血小板含有血液サンプル、結合させたGPIIb/IIIaレセプターリガンドを含む粒子、及びトロンビンレセプターアクチベーター間の接触時間から読み取りの総時間が約10秒から約10分の範囲である、請求項2記載の方法。
【請求項１７】
前記血小板含有血液サンプルを単回使用のアッセイ装置で前記トロンビンレセプターアクチベーターと接触させる、請求項1記載の方法。
【請求項１８】
前記血小板含有血液サンプルを、単回使用のアッセイ装置で、前記GPIIb/IIIaレセプターリガンドを含む前記粒子及び前記トロンビンレセプターアクチベーターと接触させる、請求項2記載の方法。
【請求項１９】
粒子がポリスチレン又はラテックスを含む、請求項2記載の方法。
【請求項２０】
粒子が約1μｍから約8μｍの直径を有する、請求項2記載の方法。
【請求項２１】
粒子が赤外線色素を含み、血小板含有血液サンプルと粒子との間の接触がアッセイ混合物を形成し、血小板によって仲介される粒子の凝集が、アッセイ混合物に赤外スペクトル内の光を照射し、アッセイ混合物から赤外光の透過を判定することによって判定される、請求項2記載の方法。
【請求項２２】
GPIIb/IIIaレセプターリガンドが、フィブリノゲン、モノクローナル抗体10E5、モノクローナル抗体c7E3、フォン・ヴィルブラント因子、フィブロネクチン、ヴィトロネクチン、アルギニングリシン-アスパラギン酸（RGD）配列を有するリガンド、及びRGD配列に類似するペプチド又はペプチド模倣体から成る群から選択される物質を含む、請求項2記載の方法。
【請求項２３】
GPIIb/IIIaレセプターリガンドがフィブリノゲンを含む、請求項2記載の方法。
【請求項２４】
粒子上に固定されたGPIIb/IIIaレセプターリガンド及びトロンビンレセプターアクチベーターを含む、トロンビンレセプターアンタゴニストによる血小板凝集阻害を測定するためのキット。
【請求項２５】
抗凝固剤並びに抗凝固血液のpH及び塩濃度を血小板凝集に適した範囲内に維持するための緩衝物質をさらに含む、請求項24記載のキット。
【請求項２６】
GPIIb/IIIaレセプターリガンドが、フィブリノゲン、モノクローナル抗体10E5、モノクローナル抗体c7E3、フォン・ヴィルブラント因子、フィブロネクチン、ヴィトロネクチン、アルギニングリシン-アスパラギン酸（RGD）配列を有するリガンド、及びRGD配列に類似するペプチド又はペプチド模倣体から成る群から選択される物質を含む、請求項24記載のキット。
【請求項２７】
GPIIb/IIIaレセプターリガンドがフィブリノゲンを含む、請求項24に記載のキット。
【請求項２８】
トロンビンレセプターアクチベーターが、トロンビン、PAR-1トロンビンレセプター活性化ペプチド（TRAP-1）及びPAR-4トロンビンレセプター活性化ペプチド（TRAP-4）から成る群から選択される物質を含む、請求項24記載のキット。
【請求項２９】
トロンビンレセプターアクチベーターがTRAP-1を含む、請求項24記載のキット。
【請求項３０】
粒子がポリスチレン又はラテックスを含む、請求項24記載のキット。
【請求項３１】
粒子が約1μｍから約8μｍの直径を有する、請求項24記載のキット。
【請求項３２】
前記キットが単回使用のアッセイ装置を含む、請求項24記載のキット。
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
記憶デバイスに中核オブジェクトを格納するステップであって、ネットワークは、前記記憶デバイスと複数の計算デバイスとを含み、前記中核オブジェクトは、データー・ファイルと、該データー・ファイルに対応するアプリケーションと、該アプリケーションとデーター・ファイルに関連したユーザー・インターフェースとを含み、前記中核オブジェクトは、ユーザーにより所有されているが前記複数の計算デバイスのいずれによっても所有されていない、ステップと、
前記複数の計算デバイスのうちの第１の計算デバイスにおいて、前記ユーザーを識別する識別子を受信するステップと、
前記中核オブジェクトと前記ユーザーを識別する前記識別子との間における一致を判定するステップであって、前記一致は、前記ユーザーが前記中核オブジェクトを所有していることを示す、ステップと、
前記一致を判定したことに応答して、前記中核オブジェクトを前記第１の計算デバイスに投影するステップと、
を含む、方法。
【請求項２】
請求項１記載の方法であって、更に、前記第１の計算デバイスによって、前記中核オブジェクトの前記データー・ファイルを表すアイコンを表示するステップを含み、前記アイコンは、前記データー・ファイルが、前記第１の計算デバイスにローカルに格納されていないという指示を含む、方法。
【請求項３】
請求項２記載の方法において、前記投影するステップは、
前記アプリケーションを起動するステップと、
前記第１の計算デバイスによって、前記ユーザー・インターフェースを表示するステップと、
を含む、方法。
【請求項４】
請求項１記載の方法において、前記記憶デバイスは、前記第１の計算デバイス以外の前記複数のデバイスのうちの１つのデバイスである、方法。
【請求項５】
請求項１記載の方法において、前記記憶デバイスは前記第１の計算デバイスである、方法。
【請求項６】
請求項２記載の方法であって、更に、
前記第１の計算デバイスにおいて、前記アイコンの選択を受信するステップと、
前記アプリケーションを起動するステップと、
を含む、方法。
【請求項７】
コンピュータ実行可能命令を含む少なくとも１つのコンピュータ読み取り可能デバイスであって、前記コンピュータ実行可能命令が、複数の計算デバイスのうちの第１の計算デバイスのプロセッサにより実行されると、前記第１の計算デバイスに方法を実行させ、該方法が、
記憶デバイスに中核オブジェクトを格納するステップであって、ネットワークは、前記記憶デバイスと前記複数の計算デバイスとを含み、前記中核オブジェクトは、データー・ファイルと、該データー・ファイルに対応するアプリケーションと、該アプリケーションとデーター・ファイルに関連したユーザー・インターフェースとを含み、前記中核オブジェクトは、ユーザーにより所有されているが前記複数の計算デバイスのいずれによっても所有されていない、ステップと、
前記第１の計算デバイスにおいて、前記ユーザーを識別する識別子を受信するステップと、
前記中核オブジェクトと前記ユーザーを識別する前記識別子との間における一致を判定するステップであって、前記一致は、前記ユーザーが前記中核オブジェクトを所有していることを示す、ステップと、
前記一致を判定したことに応答して、前記中核オブジェクトを前記第１の計算デバイスに投影するステップと、
を含む、少なくとも１つのコンピュータ読み取り可能デバイス。
【請求項８】
請求項７記載の少なくとも１つのコンピュータ読み取り可能デバイスであって、更に、前記第１の計算デバイスによって、前記中核オブジェクトの前記データー・ファイルを表すアイコンを表示するステップを含み、前記アイコンは、前記データー・ファイルが、前記第１の計算デバイスにローカルに格納されていないという指示を含む、少なくとも１つのコンピュータ読み取り可能デバイス。
【請求項９】
請求項７記載の少なくとも１つのコンピュータ読み取り可能デバイスにおいて、前記投影するステップは、
前記アプリケーションを起動するステップと、
前記第１の計算デバイスによって、前記ユーザー・インターフェースを表示するステップと、
を含む、少なくとも１つのコンピュータ読み取り可能デバイス。
【請求項１０】
請求項７記載の少なくとも１つのコンピュータ読み取り可能デバイスにおいて、前記記憶デバイスは、前記第１の計算デバイス以外の前記複数のデバイスのうちの１つのデバイスである、少なくとも１つのコンピュータ読み取り可能デバイス。
【請求項１１】
請求項７記載の少なくとも１つのコンピュータ読み取り可能デバイスにおいて、前記記憶デバイスは前記第１の計算デバイスである、少なくとも１つのコンピュータ読み取り可能デバイス。
【請求項１２】
請求項８記載の少なくとも１つのコンピュータ読み取り可能デバイスであって、更に、
前記第１の計算デバイスにおいて、前記アイコンの選択を受信するステップと、
前記アプリケーションを起動するステップと、
を含む、少なくとも１つのコンピュータ読み取り可能デバイス。
【請求項１３】
システムであって、
ネットワークの一部であるように構成された第１の計算デバイスであって、前記ネットワークは、複数の計算デバイスと、中核オブジェクトを格納するように構成された記憶デバイスとを含み、前記中核オブジェクトは、データー・ファイルと、該データー・ファイルに対応するアプリケーションと、該アプリケーションとデーター・ファイルに関連したユーザー・インターフェースとを含み、前記中核オブジェクトは、ユーザーにより所有されているが前記複数の計算デバイスあるいは前記第１の計算デバイスのいずれによっても所有されていない、第１の計算デバイス、
を含み、
前記第１の計算デバイスが、更に、前記ユーザーを識別する識別子を受信するように構成され、
前記第１の計算デバイスが、更に、前記中核オブジェクトと前記ユーザーを識別する前記識別子との間における一致を判定するように構成され、前記一致は、前記ユーザーが前記中核オブジェクトを所有していることを示し、
前記第１の計算デバイスが、更に、前記一致を判定したことに応答して、前記中核オブジェクトの投影を受信するように構成された、
システム。
【請求項１４】
請求項１３記載のシステムであって、前記第１の計算デバイスは、更に、前記中核オブジェクトの前記データー・ファイルを表すアイコンを表示するように構成され、前記アイコンは、前記データー・ファイルが、前記第１の計算デバイスにローカルに格納されていないという指示を含む、システム。
【請求項１５】
請求項１３記載のシステムであって、前記第１の計算デバイスは、更に、前記アプリケーションを起動し、前記ユーザー・インターフェースを表示するように構成された、システム。
【請求項１６】
請求項１３記載のシステムにおいて、前記記憶デバイスは、前記複数のデバイスのうちの１つのデバイスである、システム。
【請求項１７】
請求項１３記載のシステムにおいて、前記記憶デバイスは前記第１の計算デバイスである、システム。
【請求項１８】
請求項１３記載のシステムであって、前記第１の計算デバイスは、更に、前記アイコンの選択を受信し、前記アプリケーションを起動するように構成された、システム。
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
可変断面積を有する光通路と、
前記光通路に関連付けられた活性化光応答型圧電素子であって、入射する活性化光に応答してその形状が変化するように動作する活性化光応答型圧電素子と、
前記圧電素子に動作的に関連付けられ、前記活性化光応答型圧電素子の活性化光応答性を改善するための導電素子と
を備え、前記活性化光応答型圧電素子が前記光通路関連付けられ、前記活性化光応答型圧電素子が、該圧電素子の形状の変化により前記光通路の前記可変断面積を十分に変化させ、前記光通路に沿った光の通過を制御するように動作する光スイッチ。
【請求項２】
前記光通路、前記圧電素子及び前記導電素子が、第１の範囲の閾値レベル内の活性化光が前記圧電素子に入射すると、第１の範囲の波長の光の前記光通路の通過が阻止され、前記第１の範囲の閾値レベルの範囲外である第２の範囲の閾値レベル内の活性化光が前記圧電素子に入射すると、第１の範囲の波長の光の前記光通路の通過が許容されるように構成されて動作する、請求項１に記載の光スイッチ。
【請求項３】
前記導電素子が、前記圧電素子の表面に沿って広がる導電材料の層を備える、請求項１又は請求項２に記載の光スイッチ。
【請求項４】
前記圧電素子が、異なる圧電特性を有する圧電材料の少なくとも２つの層を備える、請求項１〜３のうちのいずれか１つに記載の光スイッチ。
【請求項５】
光によって駆動される少なくとも１つの光スイッチを備え、ノット機能、アンド機能、オア機能、ナンド機能及びノア機能のうちの少なくとも１つを有する、少なくとも１つのゲートを備えた論理ゲートであって、
前記少なくとも１つの光スイッチが、
可変断面積を有する信号光通路と、
前記光通路に関連付けられた活性化光応答型圧電素子であって、入射する活性化光に応答してその形状が変化するように動作する活性化光応答型圧電素子と
を備え、前記活性化光応答型圧電素子が前記光通路に関連付けられ、前記活性化光応答型圧電素子が、前記圧電素子の形状の変化により、前記光の前記可変断面積を十分に変化させて前記光通路に沿った信号光の通過を制御するように動作する論理ゲート。
【請求項６】
前記少なくとも１つの光スイッチに前記活性化光を供給する光通路を更に備え、前記光通路が、前記少なくとも１つの光スイッチにディジタル情報を伝達し、前記少なくとも１つの光スイッチからディジタル情報を伝達する信号光を運ぶ、請求項５に記載の論理ゲート。
【請求項７】
信号光を誘導するように構成された信号チャネルと、
前記信号チャネルに隣接する圧電素子と、
前記圧電素子に隣接する導電層と
を備えた光スイッチであって、
前記圧電素子に活性化光を印加することによって前記信号チャネルを通る前記信号光の通過が制御され、前記圧電素子に印加される電界が前記活性化光に応答して前記導電層によって強められる光スイッチ。
【請求項８】
前記導電層が前記圧電素子の表面に付着される、請求項７に記載の光スイッチ。
【請求項９】
前記圧電素子に前記活性化光を印加することによって、前記信号光が前記信号チャネルを通過することができないように前記圧電素子の形状を変化させる、請求項７又は８に記載の光スイッチ。
【請求項１０】
前記信号チャネルが、圧縮性材料が充填されたチャンバを備える、請求項７に記載の光スイッチ。
【請求項１１】
光スイッチを動作させるための方法であって、
圧電素子と該圧電素子に隣接する少なくとも１つの導電層とを備える光スイッチに信号光を印加するステップと、
前記圧電素子に活性化光を印加して前記光スイッチの状態を変化させるステップと
を含み、前記圧電素子に印加される電界が、印加される前記活性化光に応答して前記導電層によって強められる方法。
【請求項１２】
前記導電層が前記圧電素子の表面に付着される、請求項１１に記載の方法。
【請求項１３】
前記圧電素子に前記活性化光を印加するステップによって、前記信号光が前記光スイッチを通過できないように前記圧電素子の形状を変化させる、請求項１２に記載の方法。
【請求項１４】
光スイッチを動作させるための方法であって、
少なくとも１つの導電層に隣接する圧電素子に隣接する信号チャネルに信号光を印加するステップと、
前記圧電素子に活性化光を印加して、前記信号光の前記信号チャネルの通過が阻止されるように前記圧電素子の形状を変化させるステップと
を含み、前記圧電素子に印加される電界が、印加される前記活性化光に応答して前記導電層によって強められる方法。
【請求項１５】
前記圧電素子が、異なる圧電特性を有する少なくとも２つの層を備える、請求項１４に記載の方法。
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
光学的に透明なベース部材と、  ベース部材の一面に形成され、その下方の表面に光の拡散のため及び引っかかれ防止のための複数の凹形状の窪みが形成された引っかかれ防止用の樹脂層と、を含み、 窪みの数及び窪み同士の間隔は、ヘイズが５％から９０％の範囲となるように決定される光学素子。
【請求項２】
さらに、ベース部材の反対面に形成された第二の光拡散樹脂層を含み、第二の樹脂層は光を拡散するために、その表面に形成された複数の凹状窪みを含む、請求項１に記載の光学素子。
【請求項３】
ベース部材は、ガラス、ポリカーボネート、ポリエステル、ポリプロピレン、ポリエチレン、及びポリメチルメタクリレートからなる群より選択されたものを含む、請求項１に記載の光学素子。
【請求項４】
窪みは１μｍから３０μｍの範囲の所定の幅を有する、請求項１に記載の光学素子。
【請求項５】
窪みは１μｍから３０μｍの範囲の所定の深さを有する、請求項１に記載の光学素子。
【請求項６】
窪みは１μｍから１００μｍの範囲の互いの間の所定の間隔（距離）を有する、請求項１に記載の光学素子。
【請求項７】
窪みの数は、ヘイズが５％から４０％の範囲となるように決定される、請求項１に記載の光学素子。
【請求項８】
光拡散樹脂層は、１μｍから２０μｍの範囲の厚さを有する、請求項１に記載の光学素子。
【請求項９】
窪みの各々は、半円、三角形、四角形及び台形からなる群から選択された断面形状を有する、請求項１に記載の光学素子。
【請求項１０】
光学的に透明な第一のベース部材と、 ベース部材の一面に形成された光拡散樹脂層であって、光拡散樹脂層は光を拡散するためにその表面に複数の凹状窪みを含むものと、 ベース部材の反対面上に形成された第一の光学的微細構造層と、を含み、 窪みの数及び窪み同士の間隔は、ヘイズが５％から９０％の範囲となるように決定される光学素子。
【請求項１１】
入射光を集め放出するために光拡散層の下に形成された第二の光学的微細構造層と、 入射光を第二の光学的微細構造層に伝送する第二の光学的微細構造層の下にある第二のベース部材と、をさらに含む請求項１０に記載の光学素子。
【請求項１２】
窪みは第二の光学的微細構造層の個々の微細構造的特徴のピッチより小さい所定の幅を含む、請求項１１に記載の光学素子。
【請求項１３】
光拡散樹脂層は、第一のベース部材の上方面上に形成され、第一のベース部材を通過し出て行く光を拡散するために、その上方表面に複数の凹状窪みを含む、請求項１０に記載の光学素子。
【請求項１４】
第一の光学的微細構造層の下に形成された第二の光拡散樹脂層であって、第二の光拡散樹脂層は、光を拡散するためにその上方表面に形成された複数の凹状窪みを含むものと、 入射光を通過し放出するために、第二の光拡散樹脂層の下にある第三のベース部材と、をさらに含む、請求項１３に記載の光学素子。
【請求項１５】
第二の光拡散樹脂層は、第一の光学的微細構造層の個々の微細構造的特徴のピッチより小さい所定の幅を含む、請求項１４に記載の光学素子。
【請求項１６】
第一及び第二の微細構造的特徴の各々は、三角形、円弧及び多角形からなる群から選択される断面形状を有する、請求項１５に記載の光学素子。
【請求項１７】
窪みは１μｍから３０μｍの範囲の所定の幅を有する、請求項１０に記載の光学素子。
【請求項１８】
窪みは１μｍから３０μｍの範囲の所定の深さを有する、請求項１０に記載の光学素子。
【請求項１９】
窪みは１μｍから１００μｍの範囲の互いの間の所定の間隔（距離）を有する、請求項１０に記載の光学素子。
【請求項２０】
窪みの数は、ヘイズが５％から４０％の範囲となるように決定される、請求項１０に記載の光学素子。
【請求項２１】
光拡散樹脂層は、１μｍから２０μｍの範囲の厚さを有する、請求項１０に記載の光学素子。
【請求項２２】
窪みの各々は、半円、三角形、四角形及び台形からなる群から選択された断面形状を有する、請求項１０に記載の光学素子。
【請求項２３】
光学的に透明なベース基板をあって、ベース基板は光を拡散するためにその少なくとも一面に形成された複数の凹状窪みを含むもの、を含み、 窪みの数及び窪み同士の間隔は、ヘイズが５％から９０％の範囲となるように決定される光学素子。
【請求項２４】
前記請求項１、請求項１０及び請求項２３のいずれか一つに記載されたような光学素子を含むバックライトユニット。
【請求項２５】
請求項２４に記載されたようなバックライトユニットを含む液晶ディスプレイ。
【手続補正書】
【提出日】平成23年4月27日(2011.4.27)
【手続補正１】
【補正対象書類名】明細書
【補正対象項目名】０００６
【補正方法】変更
【補正の内容】
【０００６】
ポリペプチドの口腔粘膜投与も検討されている。例えば、ポリペプチドの口腔投与はＨｅｉｂｅｒらによる米国特許第５，８６３，５５５号明細書および同第５，７６６，６２０号明細書に記載されており、その中でグルカゴン様インスリン分泌促進ポリペプチドが胆汁酸塩などの透過促進剤と共に口腔投与されている。
フェンタニルなど特定のアヘン剤の口腔粘膜吸収用として具体的に製剤化された経口剤が、ＯＲＡＶＥＳＣＥＮＴ（登録商標）テクノロジー（ミネソタ州Ｅｄｅｎ  ＰｒａｉｒｉｅのＣＩＭＡ  ＬＡＢＳ  Ｉｎｃ．から入手可能）を利用してＦＥＮＴＯＲＡ（登録商標）の商標名として開発されている。この技術は、例えば米国特許第６，２００，６０４号明細書および同第６，９７４，５９０号明細書の他、米国公開特許出願第２００５／０１６９９８９号（２００４年１２月３０日出願の第１／０２６，１３２号）、第２００５／０１４２１９７号（２００４年１２月３０日出願の第１／０２６，３２７号）、第２００５／０１４２１９８号（２００４年１２月３０日出願の第１／０２７，３５３号）、および第２００５／０１６３８３８号（２００４年１２月３０日出願の第１１／０２６，７５９号）の各明細書に記載されている。この技術では、有効成分であるクエン酸フェンタニルの経粘膜輸送を促進するため、ｐＨ調整剤および発泡性カップルを含有する賦形剤を使用する。しかし、ＯＲＡＶＥＳＣＥＮＴ（登録商標）による発泡剤の経口投与が有効と考えられる他の医薬活性化合物の同定が現在進行中である。
ポリペプチドを含む巨大分子の口腔粘膜送達を可能且つ改善する剤形に対する必要性が製薬分野に存在する。さらには、ポリペプチドを含むより大きな分子構造の経粘膜輸送を有効に達成する剤形に対する必要性が存在する。
この出願の発明に関連する先行技術文献情報としては、以下のものがある（国際出願日以降国際段階で引用された文献及び他国に国内移行した際に引用された文献を含む）。
【先行技術文献】  
【特許文献】
【手続補正２】
【補正対象書類名】明細書
【補正対象項目名】０００７
【補正方法】変更
【補正の内容】
【０００７】
【特許文献１】  米国特許第５８６３５５５号明細書
【特許文献２】  米国特許第６２００６０４号明細書
【特許文献３】  国際公開第００／０５９４２３号
【非特許文献】
【手続補正３】
【補正対象書類名】明細書
【補正対象項目名】０００８
【補正方法】変更
【補正の内容】
【０００８】
【非特許文献１】  ＶＥＵＩＬＬＥＺ  Ｆ  ＥＴ  ＡＬ："Ｆａｃｔｏｒｓ  ａｎｄ  ｓｔｒａｔｅｇｉｅｓ  ｆｏｒ  ｉｍｐｒｏｖｉｎｇ  ｂｕｃｃａｌ  ａｂｓｏｒｐｔｉｏｎ  ｏｆ  ｐｅｐｔｉｄｅｓ"  ＥＵＲＯＰＥＡＮ  ＪＯＵＲＮＡＬ  ＯＦ  ＰＨＡＲＭＡＣＥＵＴＩＣＳ  ＡＮＤ  ＢＩＯＰＨＡＲＭＡＣＥＵＴＩＣＳ，  ＥＬＳＥＶＩＥＲ  ＳＣＩＥＮＣＥ  ＰＵＢＬＩＳＨＥＲＳ  Ｂ．Ｖ．，ＡＭＳＴＥＲＤＡＭ，ＮＬ，ｖｏｌ．５１，ｎｏ．２，１  Ｍａｒｃｈ  ２００１（２００１−０３−０１），ｐａｇｅｓ  ９３−１０９，ＸＰ００４２５７２４６  ＩＳＳＮ：０９３９−６４１１  Ｃｈａｐｔｅｒ  ３．１．１．Ｄｉｆｆｅｒｅｎｔ  ｃｌａｓｓｅｓ  ｏｆ  ｐｒｏｍｏｔｅｒｓ  ｕｓｅｄ  ｆｏｒ  ｂｕｃｃａｌ  ｄｅｌｉｖｅｒｙ
【発明の概要】
【課題を解決するための手段】
【手続補正書】
【提出日】平成23年4月7日(2011.4.7)
【手続補正１】
【補正対象書類名】明細書
【補正対象項目名】００５４
【補正方法】変更
【補正の内容】
【００５４】
試験１：ＴＨＰ−１細胞におけるＴＮＦ−α産生阻害
［Ｉ］試験方法
ヒト単核球細胞株であるＴＨＰ−１細胞を、ＲＰＭＩ  １６４０（シグマ  Ｒ８７５８）中で保持し、ペニシリン（５０Ｕ／ｍＬ）、ストレプトマイシン（５０mｇ／ｍＬ）及び１０％ウシ胎仔血清（モアゲートバイオテック（Ｍｏｒｅｇａｔｅ  ＢｉｏＴｅｃｈ．））を３７℃、５％ＣＯ２の加湿されたインキュベーター内で加えた。試験化合物の当初保存溶液をＤＭＳＯで製造した。全ての細胞、試薬及び試験化合物を培地で希釈した。ＴＨＰ−１細胞（最終的に１×１０５細胞／ウェル）及びリポ多糖類（ＬＰＳ；最終的に１０mｇ／ｍＬ；シグマ  Ｌ−４００５、大腸菌血清型０．５５：Ｂ５由来）を、試験化合物又は０．１％ＤＭＳＯビヒクルを含む、９６ウェルポリプロピレン培養プレート（スミロン、ＭＳ−８１９６Ｆ５；無菌）に加えた。細胞混合物を、３７℃、５％ＣＯ２の加湿されたインキュベーター内で、２０時間インキュベートした。培養上澄みを採取して、１００ｎＭの試験化合物存在下でのＬＰＳ刺激細胞由来のＴＮＦ−αのレベルを、０．１％ＤＭＳＯの存在下で刺激されたコントロール細胞と比較して、算出した。
［ＩＩ］試験化合物
Ｎ−｛２−クロロ−５−［（シクロプロピルアミノ）カルボニル］フェニル｝−１−（２，６−ジクロロフェニル）−６−オキソ−１，６−ジヒドロ−３−ピリジンカルボキサミド（実施例１）
Ｎ−｛２−クロロ−５−［（メトキシアミノ）カルボニル］フェニル｝−１−（２，６−ジクロロフェニル）−６−オキソ−１，６−ジヒドロ−３−ピリジンカルボキサミド（実施例２）
Ｎ−｛２−クロロ−５−［（イソオキサゾール−３−イルアミノ）カルボニル］フェニル｝−１−（２，６−ジクロロフェニル）−６−オキソ−１，６−ジヒドロ−３−ピリジンカルボキサミド（実施例３）
Ｎ−｛２−クロロ−５−［（１−メチル−１Ｈ−ピラゾール−３−イルアミノ）カルボニル］フェニル｝−１−（２，６−ジクロロフェニル）−６−オキソ−１，６−ジヒドロ−３−ピリジンカルボキサミド（実施例５）
Ｎ−｛２−クロロ−５−［（１−メチル−１Ｈ−ピラゾール−５−イルアミノ）カルボニル］フェニル｝−１−（２，６−ジクロロフェニル）−６−オキソ−１，６−ジヒドロ−３−ピリジンカルボキサミド（実施例６）
Ｎ−｛２−ブロモ−５−［（シクロプロピルアミノ）カルボニル］フェニル｝−１−（２，６−ジフルオロフェニル）−６−オキソ−１，６−ジヒドロ−３−ピリジンカルボキサミド（実施例１５）
Ｎ−｛２−クロロ−５−［（シクロプロピルアミノ）カルボニル］フェニル｝−１−（２−クロロ−６−フルオロフェニル）−６−オキソ−１，６−ジヒドロ−３−ピリジンカルボキサミド（実施例１６）
Ｎ−｛２−クロロ−５−［（シクロプロピルアミノ）カルボニル］フェニル｝−１−（２，３−ジフルオロフェニル）−６−オキソ−１，６−ジヒドロ−３−ピリジンカルボキサミド（実施例１７）
Ｎ−｛５−［（シクロプロピルアミノ）カルボニル］−２−メチルフェニル｝−１−（２，６−ジクロロフェニル）−６−オキソ−１，６−ジヒドロ−３−ピリジンカルボキサミド（実施例１８）
Ｎ−｛５−［（シクロプロピルアミノ）カルボニル］−２−メチルフェニル｝−１−ｔｅｒｔ−ブチル−６−オキソ−１，６−ジヒドロ−３−ピリジンカルボキサミド（実施例２０）
Ｎ−｛５−［（シクロプロピルアミノ）カルボニル］−２−メチルフェニル｝−１−（２，６−ジフルオロフェニル）−６−オキソ−１，６−ジヒドロ−３−ピリジンカルボキサミド（実施例２２）
Ｎ−｛５−［（シクロプロピルアミノ）カルボニル］−２−メチルフェニル｝−１−（１−フェニルエチル）−６−オキソ−１，６−ジヒドロ−３−ピリジンカルボキサミド（実施例２４）
Ｎ−｛５−［（シクロプロピルカルボニル）アミノ］−２−メチルフェニル｝−１−（２，６−ジクロロフェニル）−６−オキソ−１，６−ジヒドロ−３−ピリジンカルボキサミド（実施例２５）
Ｎ−｛５−［（｛［３−ｔｅｒｔ−ブチル−１−（４−メチルフェニル）−１Ｈ−ピラゾール−５−イル］アミノ｝カルボニル）アミノ］−２−メチルフェニル｝−１−（２，６−ジクロロフェニル）−６−オキソ−１，６−ジヒドロ−３−ピリジンカルボキサミド（実施例２６）
［ＩＩＩ］試験結果
表１：ＴＨＰ−１細胞における１００ｎＭでのＴＮＦ−α産生阻害
【手続補正２】
【補正対象書類名】明細書
【補正対象項目名】００７８
【補正方法】変更
【補正の内容】
【００７８】
調製例１７
ジメチル  （２Ｅ，４Ｚ）−４−（メトキシメチレン）−２−ペンテンジオエート（１．２３ｇ）のＤＭＦ（３０ｍＬ）溶液に、シクロヘキサンアミン（６７０ｍｇ）を０℃で加え、混合物を同じ温度で３０分間窒素雰囲気下で撹拌した。反応混合物を５時間加熱還流した。混合物を氷浴下で冷却し、水（１００ｍＬ）に注いだ。反応混合物をＥｔＯＡｃ（１００ｍＬ×２）で抽出し、有機相を合わせ、食塩水で二回洗浄し、ＭｇＳＯ４で乾燥し、濾過し、減圧下濃縮した。残渣をシリカゲルカラムクロマトグラフィー（ＥｔＯＡｃ−ヘキサン（１：２−１：１）で溶出）で精製し、メチル  １−シクロヘキシル−６−オキソ−１，６−ジヒドロ−３−ピリジンカルボキシレート（５２０ｍｇ）を得た。
Mass ESI (+) 258 (M+Na)
1H-NMR (CDCl3) d 1.22-1.27 (1H, m), 1.48-1.53 (4H, m), 1.75-1.79 (1H, m), 1.91-1.95 (4H, m), 3.86 (3H, s), 4.84-4.86 (1H, m), 6.53 (1H, d, J = 9.36 Hz), 7.80 (1H, dd, J = 9.4 and 2.44 Hz), 8.21 (1H, d, J = 2.44 Hz)
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
ヒトアルファ−シヌクレインの残基１１８〜１２６内のエピトープに特異的に結合する抗体を含んでなる（残基は配列番号：１に従って番号が付けられている）、レビー小体もしくはアルファ−シヌクレイン凝集を特徴とする疾患の予防をもたらすかもしくはそれを処置することに用いるための医薬組成物。
【請求項２】
疾患がパーキンソン病である請求項１の医薬組成物。
【請求項３】
抗体がモノクローナル抗体である請求項１の医薬組成物。
【請求項４】
抗体がキメラ抗体、ヒト抗体もしくはヒト化抗体である請求項３の医薬組成物。
【請求項５】
抗体がヒトアルファ−シヌクレインへの結合についてマウスモノクローナル抗体９Ｅ４（ＡＴＣＣ受託番号ＰＴＡ−８２２１）と競合する請求項１の医薬組成物。
【請求項６】
抗体がモノクローナル抗体９Ｅ４（ＡＴＣＣ受託番号ＰＴＡ−８２２１）またはヒト化もしくはキメラ９Ｅ４である請求項４の医薬組成物。
【請求項７】
抗体がヒトＩｇＧ１アイソタイプの抗体である請求項３の医薬組成物。
【請求項８】
抗体が末梢経路により投与される任意の前記請求項の医薬組成物。
【請求項９】
モノクローナル抗体９Ｅ４（ＡＴＣＣ受託番号ＰＴＡ−８２２１）またはヒト化もしくはキメラ９Ｅ４。
【請求項１０】
モノクローナル抗体のＣＤＲ領域のアミノ酸配列を決定すること；
アクセプター抗体を選択すること；および
モノクローナル抗体からのＣＤＲおよびアクセプター抗体からの可変領域フレームワークを含んでなるヒト化抗体を製造すること
を含んでなるモノクローナル抗体９Ｅ４（ＡＴＣＣ受託番号ＰＴＡ−８２２１）をヒト化する方法。
【請求項１１】
モノクローナル抗体の軽鎖および重鎖可変領域のアミノ酸配列を決定すること；
重鎖および軽鎖定常領域を選択すること；
軽鎖定常領域に融合した軽鎖可変領域を含んでなる軽鎖、および重鎖定常領域に融合した重鎖可変領域を含んでなる重鎖を含んでなるキメラ抗体を製造すること
を含んでなるモノクローナル抗体９Ｅ４（ＡＴＣＣ受託番号ＰＴＡ−８２２１）のキメラ形態を製造する方法。
【請求項１２】
ハイブリドーマＪＨ１７．９Ｅ４．３．３７．１．１４．２（ＡＴＣＣ受託番号ＰＴＡ−８２２１）の細胞。
【請求項１３】
ヒトアルファ−シヌクレインの残基１１８〜１２６内のエピトープに特異的に結合する抗体を誘導するアルファシヌクレインの５〜２０の連続する残基のフラグメントを含んでなる（残基は配列番号：１に従って番号が付けられている）、脳におけるレビー小体もしくはアルファ−シヌクレイン凝集を特徴とする疾患の予防をもたらすかもしくはそれを処置することに用いるための医薬組成物。
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
式Ｉの化合物：
【化１】
2010526089.tif 000001
またはその医薬的に許容できる塩。
【請求項２】
式中ジュウテリウムとして指定されていない原子はいずれもそれの自然界での同位体存在率で存在する、請求項１に記載の化合物またはその医薬的に許容できる塩。
【請求項３】
医薬的に許容できる塩がＨＢｒ塩である、請求項１または２に記載の化合物または医薬的に許容できる塩。
【請求項４】
請求項１〜３のいずれかに記載の化合物または医薬的に許容できる塩、および許容できるキャリヤーを含む、発熱物質を含まない組成物。
【請求項５】
偽性延髄性情動および神経障害性疼痛から選択される疾患または状態の処置に有用な第２の療法薬をさらに含む、請求項４に記載の組成物。
【請求項６】
第２の療法薬がキニジンまたはその塩、オキシコドン、およびガバペンチンから選択される、請求項５に記載の組成物。
【請求項７】
第２の療法薬がキニジンまたはその塩から選択される、請求項６に記載の組成物。
【請求項８】
第２の療法薬が硫酸キニジンから選択される、請求項７に記載の組成物。
【請求項９】
前記化合物の量が１０〜６０ｍｇであり、前記キニジンの量が２．５〜３０ｍｇである、請求項７に記載の組成物。
【請求項１０】
偽性延髄性情動および神経障害性疼痛から選択される疾患または状態の処置のための医薬の製造における、式Ｉの化合物：
【化２】
2010526089.tif 000002
またはその医薬的に許容できる塩の使用。
【請求項１１】
式中ジュウテリウムとして指定されていない原子はいずれもそれの自然界での同位体存在率で存在する、請求項１０の使用。
【請求項１２】
キニジンまたはその塩、オキシコドン、およびガバペンチンから選択される第２の療法薬をさらに含む、請求項１０または１１に記載の使用。
【請求項１３】
第２の療法薬がキニジンまたはその塩から選択される、請求項１２に記載の使用。
【請求項１４】
医薬が偽性延髄性情動の処置のために使用され、第２の療法薬が硫酸キニジンから選択される、請求項１３に記載の使用。
【請求項１５】
医薬的に許容できる塩がＨＢｒ塩である、請求項１０〜１４のいずれかに記載の使用。
【請求項１６】
前記化合物の量が１０〜６０ｍｇであり、前記キニジンの量が２．５〜３０ｍｇである、請求項１３に記載の使用。
【請求項１７】
下式の化合物：
【化３】
2010526089.tif 000003
またはその医薬的に許容できる塩、および医薬的に許容できるキャリアを含み、医薬投与のために製剤化されている組成物。
【請求項１８】
式中ジュウテリウムとして指定されていない原子はいずれもそれの自然界での同位体存在率で存在する、請求項１７の組成物。
【請求項１９】
偽性延髄性情動および神経障害性疼痛から選択される疾患または状態の処置に有用な第２の療法薬をさらに含む、請求項１７または１８に記載の組成物。
【請求項２０】
キニジンまたはその塩、オキシコドン、およびガバペンチンから選択される第２の療法薬をさらに含む、請求項１９に記載の組成物。
【請求項２１】
第２の療法薬がキニジンまたはその塩から選択される、請求項２０に記載の組成物。
【請求項２２】
第２の療法薬が硫酸キニジンから選択される、請求項２１に記載の組成物。
【請求項２３】
医薬的に許容できる塩がＨＢｒ塩である、請求項１７〜２２のいずれかに記載の組成物。
【請求項２４】
前記化合物の量が１０〜６０ｍｇであり、前記キニジンの量が２．５〜３０ｍｇである、請求項２１に記載の組成物。
【請求項２５】
偽性延髄性情動および神経障害性疼痛から選択される疾患または状態の処置のための医薬の製造における、下式の化合物：
【化４】
2010526089.tif 000004
またはその医薬的に許容できる塩の使用。
【請求項２６】
式中ジュウテリウムとして指定されていない原子はいずれもそれの自然界での同位体存在率で存在する、請求項２５の使用。
【請求項２７】
キニジンまたはその塩、オキシコドン、およびガバペンチンから選択される第２の療法薬をさらに含む、請求項２５または２６に記載の使用。
【請求項２８】
第２の療法薬がキニジンまたはその塩から選択される、請求項２７に記載の使用。
【請求項２９】
医薬が偽性延髄性情動の処置のために使用され、第２の療法薬が硫酸キニジンである、請求項２８に記載の使用。
【請求項３０】
医薬的に許容できる塩がＨＢｒ塩である、請求項２５〜２９のいずれかに記載の使用。
【請求項３１】
前記化合物の量が１０〜６０ｍｇであり、前記キニジンの量が２．５〜３０ｍｇである、請求項２８に記載の使用。
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
癌の治療のための医薬品の製造のための約１０連続アミノ酸〜約７０連続アミノ酸までを含んでなるオリゴペプチドの使用であって、ここで、前記オリゴペプチドは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２および配列番号２３、ならびに配列番号１〜配列番号３２に記載の少なくとも１つの配列と少なくとも７０％の配列同一性を共有する配列からなる群から選択されるアミノ酸配列を含んでなり、ここで、前記オリゴペプチドは、ＷｎｔリガンドのＬＲＰ５およびＬＲＰ６の少なくとも１つへの結合をアンタゴナイズする、使用。
【請求項２】
配列番号１〜配列番号３２に記載の少なくとも１つの配列と少なくとも７０％の配列同一性を共有する配列が配列番号１〜配列番号３２に記載の少なくとも１つの配列と少なくとも８５％の配列同一性を共有する、請求項１に記載のオリゴペプチドの使用。
【請求項３】
前記オリゴペプチドが、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２および配列番号２３からなる群から選択される配列を含んでなる、請求項１に記載のオリゴペプチドの使用。
【請求項４】
前記オリゴペプチドが、配列番号１５および配列番号２１からなる群から選択されるアミノ酸配列を含んでなる、請求項１に記載のオリゴペプチドの使用。
【請求項５】
前記オリゴペプチドが、配列番号１４のアミノ酸配列を含んでなる、請求項１に記載のオリゴペプチドの使用。
【請求項６】
前記癌が、乳癌、多発性骨髄腫（ＭＭ）、前立腺癌および皮膚癌からなる群から選択される、請求項１〜５のいずれか１項に記載のオリゴペプチドの使用。
【請求項７】
癌の治療のための医薬品の製造のためのポリペプチドまたはオリゴペプチドの使用であって、ここで、前記ポリペプチドまたは前記オリゴペプチドは、配列番号２４、配列番号２５、配列番号２６、配列番号２７、配列番号２８、配列番号２９、配列番号３０、配列番号３１、配列番号３２、配列番号３３、配列番号３４、配列番号３５、配列番号３６、配列番号３７および配列番号３８の全長ＭｅｓＤポリペプチド、ならびに配列番号１〜配列番号３８に記載の少なくとも１つの配列と少なくともの７０％の配列同一性を共有する配列からなる群から選択されるアミノ酸配列を含んでなり、ここで、前記ポリペプチドまたは前記オリゴペプチドは、ＷｎｔリガンドのＬＲＰ５および／またはＬＲＰ６への結合をアンタゴナイズする、使用。
【請求項８】
配列番号１〜配列番号３８に記載の少なくとも１つの配列と少なくとも７０％の配列同一性を共有する配列が配列番号１〜配列番号３８に記載の少なくとも１つの配列と少なくとも８５％の配列同一性を共有する、請求項７に記載のポリペプチドまたはオリゴペプチドの使用。
【請求項９】
前記ポリペプチドまたはオリゴペプチドが、配列番号１４のアミノ酸配列を含んでなる、請求項７に記載のポリペプチドまたはオリゴペプチドの使用。
【請求項１０】
前記癌が、乳癌、多発性骨髄腫（ＭＭ）、前立腺癌および皮膚癌からなる群から選択される、請求項７〜９のいずれか１項に記載のポリペプチドまたはオリゴペプチドの使用。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
炭素発泡体と、前記炭素発泡体における孔の内部に配された補助材と、を含む炭素発泡体複合体であって、
前記炭素発泡体の孔の体積の９０％以上が１０〜１５０ミクロンの直径を有し、かつ前記炭素発泡体の孔の体積の１％以上が０．８〜３．５ミクロンの直径を有し、
前記補助材には、中間相ピッチ物質が含まれ、
前記補助材は、前記炭素発泡体の骨格表面の２つのセル直径以内の孔のみに注入され、
前記炭素発泡体複合体が、開放された内孔を維持しながら外部的にシールされ、
前記炭素発泡体複合体の表面エネルギー及び液体親和性が、前記炭素発泡体の表面エネルギー及び液体親和性と異なる
ことを特徴とする炭素発泡体複合体。